(57)【要約】【課題】  背面投射型表示装置において、表示画像の歪みを改善し、且つ、「うねり」を抑制しつつ垂直方向の視野角を拡大する。【解決手段】  背面投射型表示装置用の透過型スクリーンとして、観測者側からみて、垂直レンチキュラーレンズシート１１−４及びブラックストライプライプ１１−５を有する垂直レンチ１１と、水平レンチキュラーレンズシート１２−２及びブラックストライプ１２−３を有する水平レンチ１２と、フレネルレンズシート１３−１を有するフレネル１３とを順に配置した透過型スクリーンを用いる。垂直レンチ１１，フレネル１３には、それぞれガラス１１−２，１３−２を基板として用いる。水平レンチ１２には、観測者側の表面１２−１ａにアンチグレア処理を施す。【選択図】  図２
2006113383.tif 000002
【特許請求の範囲】
【請求項１】
観測者側からみて、垂直レンチキュラーレンズシート及びブラックストライプを有する垂直レンチと、水平レンチキュラーレンズシート及びブラックストライプを有する水平レンチと、フレネルレンズシートを有するフレネルとが順に配置されており、
前記垂直レンチ，前記フレネルは、それぞれガラスを基板として用いており、
前記水平レンチは、観測者側の表面にアンチグレア処理が施されていることを特徴とする透過型スクリーン。
【請求項２】
請求項１に記載の透過型スクリーンにおいて、
前記アンチグレア処理を施された面の面粗さが２μｍから７μｍの範囲内であることを特徴とする透過型スクリーン。
【請求項３】
請求項１に記載の透過型スクリーンにおいて、
前記垂直レンチは、前記垂直レンチキュラーレンズシートよりも観測者側寄りに拡散シートが設けられていることを特徴とする透過型スクリーン。
【請求項４】
請求項３に記載の透過型スクリーンにおいて、
前記垂直レンチの前記拡散シートは、基材シートの観測者側の表面に拡散層を形成したものであることを特徴とする透過型スクリーン。
【請求項５】
請求項１に記載の透過型スクリーンにおいて、
前記垂直レンチは、観測者側の表面にアンチグレアシート，アンチリフレクションシートのいずれかが設けられていることを特徴とする透過型スクリーン。
【請求項６】
請求項１に記載の透過型スクリーンにおいて、
前記フレネルは、観測者側とは反対側の表面にアンチグレアシートが設けられていることを特徴とする透過型スクリーン。
【請求項７】
請求項６に記載の透過型スクリーンにおいて、
前記アンチグレアシートの面粗さが２μｍから７μｍの範囲内であることを特徴とする透過型スクリーン。
【請求項８】
請求項１に記載の透過型スクリーンにおいて、
前記水平レンチは、前記垂直レンチの基板及び前記フレネルの基板よりもサイズの小さい樹脂を基板として用いており、前記垂直レンチ，前記フレネルのいずれか一方に固定して取り付けられていることを特徴とする透過型スクリーン。
【請求項９】
請求項１に記載の透過型スクリーンにおいて、
前記水平レンチと前記フレネルとの間にスペーサーが設けられていることを特徴とする透過型スクリーン。
【請求項１０】
請求項９に記載の透過型スクリーンにおいて、
前記スペーサーは、隙間をあけて設けられていることを特徴とする透過型スクリーン。
【請求項１１】
映像光を出射する映像光源と、前記映像光が背面から投射される透過型スクリーンとを含む背面投射型表示装置において、
前記透過型スクリーンは、
観測者側からみて、垂直レンチキュラーレンズシート及びブラックストライプを有する垂直レンチと、水平レンチキュラーレンズシート及びブラックストライプを有する水平レンチと、フレネルレンズシートを有するフレネルとが順に配置されており、
前記垂直レンチ，前記フレネルは、それぞれガラスを基板として用いており、
前記水平レンチは、観測者側の表面にアンチグレア処理が施されている
ことを特徴とする背面投射型表示装置。
【発明の詳細な説明】
【技術分野】
【０００１】
本発明は、背面投射型表示装置用の透過型スクリーン及び背面投射型表示装置に関する。
【背景技術】
【０００２】
大画面の画像表示装置の一種として、背面投射型表示装置（リアプロジェクションディスプレイ）が普及している。背面投射型表示装置は、周知の通り、ＣＲＴ，ＬＣＤ素子またはＤＬＰ（Digital Light Processing）素子等の映像光源から出射した映像光を、ミラーで反射・拡大して透過型スクリーンに背面から投射し、透過型スクリーンの正面側から画像を見るようにしたものである。
【０００３】
背面投射型表示装置では、一般に、光学系を小型化する（光路長を短くする）ことを目的として、ミラーから透過型スクリーンへの光の入射角が急峻にされている。そのため、透過型スクリーンには、ミラーからの映像光を平行光化する（スクリーン面に垂直な方向の光に変換する）フレネルレンズシートが設けられている。
【０００４】
さらに、透過型スクリーンには、視野角の拡大を目的として、フレネルレンズで平行光化された映像光を偏向させるレンチキュラーレンズシート（映像光の通過しない領域にブラックストライプを有するもの）が設けられている。
【０００５】
従来実用化されている背面投射型表示装置用の透過型スクリーンでは、このフレネルレンズシートやレンチキュラーレンズシートを貼り合せる基板として、樹脂が用いられていた。（但し、文献上では、温度や湿度の変化による反りを防止する目的で、水平レンチキュラーレンズシート用の基板としてガラスを用いることも提案されていた（例えば、特許文献１参照））。
【０００６】
また従来実用化されている背面投射型表示装置用の透過型スクリーンでは、レンチキュラーレンズシートとして、映像光を水平方向に偏向させる（水平方向の視野角を拡大する）水平レンチキュラーレンズシートのみが設けられていた。（但し、文献上では、水平レンチキュラーレンズシートと、映像光を垂直方向に偏向させる垂直レンチキュラーレンズシートとの両方を設けることも提案されていた（例えば、特許文献２参照））。
【特許文献１】特開２００２−３５７８６８号公報（段落番号００１４、図１）
【特許文献２】特開平８−１０１４５９号公報（段落番号００２１〜２２、図１）
【発明の開示】
【発明が解決しようとする課題】
【０００７】
しかし、従来のように樹脂製の基板を用いる透過型スクリーンには、樹脂の平面度を保つことが困難であり、そのため表示画像に歪みが生じるという問題があった。
【０００８】
なお、上記特許文献１に記載の透過型スクリーンでは、水平レンチキュラーレンズシート用の基板としてはガラスを用いるが、フレネルレンズシート用の基板としては樹脂を用いている。したがって、このフレネルレンズシート用の樹脂基板の平面度を保つことが困難なので、やはり表示画像に歪みが生じてしまう。
【０００９】
また、従来のようにレンチキュラーレンズシートとして水平レンチキュラーレンズシートのみを設けた透過型スクリーンには、垂直方向の視野角を拡大することができなかった。
【００１０】
なお、上記特許文献２に記載のように垂直レンチキュラーレンズを追加して設ければ、垂直方向の視野角も拡大することができる。しかし、単純に垂直レンチキュラーレンズを追加した場合には、観測者側から透過型スクリーンに入射した外光が、垂直レンチキュラーレンズを透過した後、水平レンチキュラーレンズの表面で反射されて再び観測者側に出射されてしまう。そして、水平レンチキュラーレンズの表面の部位による反射光の強弱を原因として、表示画像に濃淡むら（「うねり」）が生じてしまう。
【００１１】
本発明は、上述の点に鑑み、背面投射型表示装置において、表示画像の歪みを改善し、且つ、「うねり」を抑制しつつ垂直方向の視野角を拡大することを課題としてなされたものである。
【課題を解決するための手段】
【００１２】
この課題を解決するために、本発明に係る透過型スクリーンは、観測者側からみて、垂直レンチキュラーレンズシート及びブラックストライプを有する垂直レンチと、水平レンチキュラーレンズシート及びブラックストライプを有する水平レンチと、フレネルレンズシートを有するフレネルとが順に配置されており、この垂直レンチ，フレネルは、それぞれガラスを基板として用いており、この水平レンチは、観測者側の表面にアンチグレア処理が施されていることを特徴とする。
【００１３】
この透過型スクリーンでは、観測者側からみて垂直レンチ，水平レンチ，フレネルが順に配置されており、観測者側に面する垂直レンチ，その反対側（光源側）に面するフレネルの両方でガラスが基板として用いられている。
【００１４】
これにより、透過型スクリーンの両面の平面度を良好に保つことができるので、表示画像の歪みを従来よりも大幅に改善することができる。
【００１５】
また、この透過型スクリーンでは、水平レンチキュラーレンズシートだけでなく垂直レンチキュラーレンズシートが設けられているので、垂直方向の視野角も拡大することができる。そして、水平レンチの観測者側の表面にアンチグレア処理が施されているので、観測者側から透過型スクリーンに入射して垂直レンチキュラーレンズシートを透過した外光は、水平レンチの観測者側の表面で拡散して反射される。これにより、この観測者側の表面で反射されて観測者側に出射される光の強さの均一性が高まるので、「うねり」（部位による反射光の強弱を原因とする表示画像の濃淡むら）を抑制することができる。
【００１６】
また、最も観測者側寄りに垂直レンチが配置されているので、室内の天井の照明器具からの外光のような上下方向からの外光を、垂直レンチのブラックストライプ（水平方向に延びたブラックストライプ）で良好に遮断することができる。
【００１７】
また、フレネル内の迷光が水平レンチのブラックストライプと垂直レンチのブラックストライプとの両方（光の進行方向に対して十字状に交差するブラックストライプ）で遮断されるので、迷光が観測者側に出射したり多重像が見える現象も抑制することができる。
【００１８】
なお、この水平レンチの観測者側の表面（アンチグレア処理を施された面）の面粗さは、一例として、２μｍから７μｍの範囲内であることが好適である。この透過型スクリーンでは、水平レンチだけでなく垂直レンチが設けられていることにより、水平レンチの表面の面粗さをあまり大きくすると、ブラックストライプで遮断される光が多くなってしまうので、透過型スクリーン内での光の透過率が低下してしまう。これに対し、水平レンチの観測者側の表面の面粗さを２〜７μｍ程度に収めることにより、「うねり」を抑制しつつ、ブラックストライプでの遮断光を少なくして、透過型スクリーン内での光の透過率の低下を抑制することができる。
【００１９】
また、この透過型スクリーンにおいて、一例として、垂直レンチには、垂直レンチュラーレンズシートよりも観測者側寄りに拡散シートを設けることが好適である。こうした拡散シートを設けることにより、垂直方向の視野角をより一層拡大することができる。そして、垂直レンチキュラーレンズシートよりも観測者側寄りに拡散シートを設けることにより、拡散シートで拡散された光が垂直レンチのブラックストライプで遮断されることがないので、透過型スクリーン内での光の透過率の低下を防止することもできる。
【００２０】
そして、この垂直レンチの拡散シートとしては、基材シートの観測者側の表面に拡散層を形成したものを用いることがさらに好適である。それにより、垂直レンチのブラックストライプと拡散層との間にある程度の距離が確保されようになる。ブラックストライプと拡散層との距離が短くなりすぎると、ブラックストライプで絞られた光束が拡散層内の粒子に当たる箇所と当たらない箇所とのばらつきが生じることにより、明るい画像を表示するときに画像のぎらつき（「シンチュレーション」）が生じてしまう。これに対し、このようにある程度の距離を確保することにより、この「シンチュレーション」も抑制することができる。
【００２１】
また、この透過型スクリーンにおいて、一例として、垂直レンチには、観測者側の表面にアンチグレアシート，アンチリフレクションシートのいずれかを設けることが好適である。それにより、透過型スクリーンの表面への映り込みを抑制することができる。
【００２２】
また、この透過型スクリーンにおいて、一例として、フレネルには、観測者側とは反対側（光源側）の表面にアンチグレアシートを設けることがさらに好適である。背面投射型表示装置内で映像光源からミラーを介して透過型スクリーンに入射した光がフレネルの表面で反射されてミラーに戻ると、その反射光がミラーで再び反射されて透過型スクリーンに入射することによって、表示画像にゴーストが生じてしまう。これに対し、フレネルにこうしたアンチグレアシートを設けることにより、このゴーストも抑制することができる。
【００２３】
このフレネルのアンチグレアシートの面粗さも、やはり２〜７μｍ程度に収めることが好適である。それにより、ゴーストを抑制しつつ、水平レンチのブラックストライプ及び垂直レンチのブラックストライプでの遮断光を少なくすることができる。
【００２４】
また、この透過型スクリーンにおいて、水平レンチに樹脂を基板として用いる場合には、一例として、温度や湿度の変化による樹脂の伸びを想定して、垂直レンチの基板（ガラス）及びフレネルの基板（ガラス）よりもサイズを小さくするとともに、水平レンチを垂直レンチ，フレネルのいずれか一方に固定して取り付けることが好適である。
【００２５】
このように樹脂基板のサイズを小さくすることにより、温度や湿度の影響を排除することができる。また、このように垂直レンチ，フレネルのいずれか一方に固定して取り付けることにより、サイズを小さくした水平レンチが垂直レンチとフレネルとの間で動いてしまうこと（「暴れ」）を防止することができる。
【００２６】
また、この透過型スクリーンにおいて、一例として、水平レンチとフレネルとの間にスペーサーを設けることが好適である。それにより、水平レンチキュラーレンズシートのレンズ面とフレネルレンズシートのレンズ面とが直接接触しなくなるので、それらのレンズの変形を防止することができる。
【００２７】
そして、このスペーサーを、全周に亘って設けるのではなく、隙間をあけて設けることがさらに好適である。それにより、水平レンチとフレネルとの間の湿気を、この隙間を通して外部に抜くことができる。
【００２８】
次に、本発明は、映像光を出射する映像光源と、前記映像光が背面から投射される透過型スクリーンとを含む背面投射型表示装置において、この透過型スクリーンは、観測者側からみて、垂直レンチキュラーレンズシート及びブラックストライプを有する垂直レンチと、水平レンチキュラーレンズシート及びブラックストライプを有する水平レンチと、フレネルレンズシートを有するフレネルとが順に配置されており、この垂直レンチ，フレネルは、それぞれガラスを基板として用いており、この水平レンチは、観観測者側の表面にアンチグレア処理が施されていることを特徴とする。
【００２９】
この背面投射型表示装置は、前述の本発明に係る透過型スクリーンを用いたものであり、表示画像の歪みを改善し、且つ、「うねり」を抑制しつつ垂直方向の視野角を拡大することができる。また、外光（室内の天井の照明器具からの外光のような上下方向からの外光）を良好に遮断することができ、迷光が観測者側に出射したり多重像が見える現象も抑制することができる。
【発明の効果】
【００３０】
本発明によれば、背面投射型表示装置において、表示画像の歪みを改善できるという効果や、「うねり」（表示画像の濃淡むら）を抑制しつつ垂直方向の視野角を拡大できるという効果や、外光（室内の天井の照明器具からの外光のような上下方向からの外光）を良好に遮断できるという効果や、迷光が観測者側に出射したり多重像が見える現象を抑制できるという効果が得られる。
【００３１】
また、水平レンチの観測者側の表面（アンチグレア処理を施した面）の面粗さを２〜７μｍ程度に収めることにより、「うねり」を抑制しつつ、ブラックストライプでの遮断光を少なくして、透過型スクリーン内での光の透過率の低下を抑制できるという効果も得られる。
【００３２】
また、垂直レンチの垂直レンチュラーレンズシートよりも観測者側寄りに拡散シートを設けることにより、垂直方向の視野角をより一層拡大し、且つ、透過型スクリーン内での光の透過率の低下を防止できるという効果も得られる。
【００３３】
また、この垂直レンチの拡散シートとして、基材シートの観測者側の表面に拡散層を形成したものを用いることにより、「シンチュレーション」（画像のぎらつき）を抑制できるという効果も得られる。
【００３４】
また、垂直レンチの観測者側の表面にアンチグレアシート，アンチリフレクションシートのいずれかを設けることにより、透過型スクリーンの表面への映り込みを抑制できるという効果も得られる。
【００３５】
また、フレネルの観測者側とは反対側の表面にアンチグレアシートを設けることにより、ゴーストを抑制できるという効果も得られる。
【００３６】
また、このフレネルのアンチグレアシートの面粗さを２〜７μｍ程度に収めることにより、ゴーストを抑制しつつ、水平レンチのブラックストライプ及び垂直レンチのブラックストライプでの遮断光を少なくして、透過型スクリーン内での光の透過率の低下を抑制できるという効果も得られる。
【００３７】
また、水平レンチに基板として用いる樹脂のサイズを垂直レンチの基板（ガラス）及びフレネルの基板（ガラス）よりも小さくするとともに、水平レンチを垂直レンチ，フレネルのいずれか一方に固定して取り付けることにより、温度や湿度の影響を排除しつつ、水平レンチの「暴れ」（水平レンチが垂直レンチとフレネルとの間で動いてしまうこと）を防止できるという効果も得られる。
【００３８】
また、水平レンチとフレネルとの間にスペーサーを設けることにより、水平レンチキュラーレンズシートのレンズ面とフレネルレンズシートのレンズ面とが直接接触しなくなるので、それらのレンズの変形を防止できるという効果も得られる。
【００３９】
そして、このスペーサーを隙間をあけて設けることにより、水平レンチとフレネルとの間の湿気を外部に抜くことができるという効果も得られる。
【発明を実施するための最良の形態】
【００４０】
以下、本発明を図面を用いて具体的に説明する。図１は、本発明を適用した背面投射型表示装置の光学系の概要を示す図である。映像光源１は、例えばＣＲＴ，ＬＣＤ素子またはＤＬＰ（Digital Light Processing）素子から成っており、図示しない映像信号処理系からの映像データに応じて駆動されて、映像光を出射する。
【００４１】
映像光源１から出射された映像光は、ミラー２で反射・拡大されて透過型スクリーン３に背面から投射され、透過型スクリーン３から観測者に出射される。
【００４２】
図２は、この透過型スクリーン３の断面構造を示す図である。透過型スクリーン３には、観測者側（図の左側）からみて、垂直レンチ１１と、水平レンチ１２と、フレネル１３とが順に配置されている。
【００４３】
垂直レンチ１１には、基板としてガラス基板１１−２が用いられている。ガラス基板１１−２の観測者側の面には、アンチグレア（ＡＧ）シート１１−１が接着剤１１−６で貼り合わされている。アンチグレアシート１１−１は、基材シート１１−１ａの観測者側の面に、入射光を拡散するアンチグレア層（バインダの表面に、屈折率がバインダと等しい粒子を配置した層）１１−１ｂを形成したものである。
【００４４】
ガラス基板１１−２の観測者側とは反対側（図１の映像光源１及びミラー２が存在する光源側）の面には、拡散シート１１−３が接着剤１１−７で貼り合わされている。拡散シート１１−３は、基材シート１１−３ａの観測者側の面に、透過光を拡散する拡散層（バインダの内部に、屈折率がバインダと異なる粒子を配置した層）１１−３ｂを形成したものである。
【００４５】
拡散シート１１−３の光源側の面には、垂直レンチキュラーレンズシート１１−４が接着剤１１−８で貼り合わされている。垂直レンチキュラーレンズシート１１−４は、基材シート１１−４ａの光源側の面に垂直レンチキュラーレンズ１１−４ｂを形成したものである。接着剤１１−８の中には、水平方向（図面に垂直な方向）に延びたブラックストライプ（ＢＳ）１１−５が混在している。
【００４６】
垂直レンチキュラーレンズシート１１−４は、水平レンチ１２から入射した映像光を垂直方向（図の縦方向）に偏向させることによって垂直方向の視野角を拡大する役割を果たす。ブラックストライプ１１−５は、垂直レンチキュラーレンズシート１１−４で偏向された映像光が通過しない領域に位置しており、外光を遮断する役割を果たす。拡散シート１１−３は、透過する光を拡散させることによって垂直方向の視野角を拡大する役割を果たす。
【００４７】
水平レンチ１２には、基板として樹脂基板１２−１が用いられている。樹脂基板１２−１の観測者側の面１２−１ａは垂直レンチ１１に対向しており、この面１２−１ａにはアンチグレア処理が施されている。樹脂基板１２−１の光源側の面には、水平レンチキュラーレンズシート１２−２が接着剤１２−４で貼り合わされている。水平レンチキュラーレンズシート１２−２は、基材シート１２−２ａの光源側の面に水平レンチキュラーレンズ１２−２ｂを形成したものである。接着剤１２−４の中には、垂直方向に延びたブラックストライプ（ＢＳ）１２−３が混在している。
【００４８】
水平レンチキュラーレンズシート１２−２は、フレネル１３から入射した映像光を水平方向に偏向させることによって水平方向の視野角を拡大する役割を果たす。ブラックストライプ１２−３は、水平レンチキュラーレンズシート１２−２で偏向された映像光が通過しない領域に位置しており、外光を遮断する役割を果たす。
【００４９】
フレネル１３には、基板としてガラス基板１３−２が用いられている。ガラス基板１３−２の観測者側の面には、フレネルレンズシート１３−１が接着剤１３−４で貼り合わされている。フレネルレンズシート１３−１は、基材シート１３−１ａの観測者側の面にフレネルレンズ１３−１ｂを形成したものである。
【００５０】
ガラス基板１３−２の光源側の面には、アンチグレア（ＡＧ）シート１３−３が接着剤１３−５で貼り合わされている。アンチグレアシート１３−３は、基材シート１３−３ａの光源側の面にアンチグレア層（拡散層としての機能を併有するもの）１３−３ｂを形成したものである。
【００５１】
フレネルレンズシート１３−１は、図１のミラー２からの映像光を平行光化する（スクリーン面に垂直な方向の光に変換する）役割を果たす。
【００５２】
垂直レンチ１１のガラス基板１１−２，フレネル１３のガラス基板１３−２の厚さは、それぞれ約３ｍｍである。水平レンチ１２の樹脂基板１２−１の厚さは、約１．２ｍｍである。垂直レンチ１１の拡散シート１１−３は、基材シート１１−３ａの厚さが１８０〜２５０μｍ程度になっている。その他の各シートの厚さは、それぞれ１００μｍ程度である。
【００５３】
図１のミラー２から透過型スクリーン３に投射された映像光は、フレネル１３で平行光化され、水平レンチ１２で水平方向の視野角を拡大された後、垂直レンチ１１で垂直方向の視野角を拡大されて、観測者に出射される。
【００５４】
この透過型スクリーン３では、観測者側からみて垂直レンチ１１，水平レンチ１２，フレネル１３が順に配置されており、観測者側に面する垂直レンチ１１，光源側に面するフレネル１３の両方で基板としてガラス基板１１−２，１３−２用いられている。
【００５５】
これにより、透過型スクリーン３の両面の平面度を良好に保つことができるので、表示画像の歪みを従来よりも大幅に改善することができる。
【００５６】
また、この透過型スクリーン３では、水平レンチキュラーレンズシート１２−２だけでなく垂直レンチキュラーレンズシート１１−４が設けられているので、垂直方向の視野角も拡大することができる。
【００５７】
ここで、観測者側から透過型スクリーン３に入射して垂直レンチ１１を透過した外光光が、水平レンチ１２で反射されて再び観測者側に出射されると、水平レンチ１２の表面の部位による反射光の強弱を原因として表示画像に濃淡むら（「うねり」）が生じてしまう。これに対し、この透過型スクリーン３では、水平レンチ１２の観測者側の表面（樹脂基板１２−１の観測者側の面１２−１ａ）にアンチグレア処理が施されているので、観測者側から透過型スクリーン３に入射して垂直レンチ１１を透過した外光は、水平レンチ１２の観測者側の表面で拡散して反射される。これにより、この観測者側の表面で反射されて観測者側に出射される光の強さの均一性が高まるので、この「うねり」を抑制することができる。
【００５８】
また、この透過型スクリーン３では、最も観測者側寄りに垂直レンチ１１が配置されているので、室内の天井の照明器具からの外光のような上下方向からの外光を、垂直レンチ１１のブラックストライプ１１−５で良好に遮断することができる。
【００５９】
また、フレネル１３内の迷光が水平レンチ１２のブラックストライプ１２−３と垂直レンチ１１のブラックストライプ１１−５との両方（光の進行方向に対して十字状に交差するブラックストライプ）で遮断されるので、迷光が観測者側に出射したり多重像が見える現象も抑制することができる。
【００６０】
また、この透過型スクリーン３では、垂直レンチ１１に拡散シート１１−３が設けられているので、垂直方向の視野角をより一層拡大することができる。そして、この拡散シート１１−３が垂直レンチキュラーレンズシート１１−４よりも観測者側寄り（したがって、ブラックストライプ１１−５を混在した接着剤１１−７よりも観測者側寄り）に設けられているので、拡散シート１１−３で拡散された光がブラックストライプ１１−５で遮断されることがない。したがって、透過型スクリーン３内での光の透過率の低下が防止される。
【００６１】
さらに、この拡散シート１１−３としては、基材シート１１−３ａの観測者側の面に拡散層１１−３ｂを形成したものが用いられているので、ブラックストライプ１１−５と拡散層１１−３ｂとの間にある程度の距離（基材シート１１−３ａの厚さである１８０〜２５０μｍの距離）が確保されている。ブラックストライプ１１−５と拡散層１１−３ｂとの距離が短くなりすぎると、ブラックストライプ１１−５で絞られた光束が拡散層１１−３ｂ内の粒子に当たる箇所と当たらない箇所とのばらつきが生じることにより、明るい画像を表示するときに画像のぎらつき（「シンチュレーション」）が生じてしまう。これに対し、このようにある程度の距離を確保することにより、この「シンチュレーション」も抑制することができる。
【００６２】
また、この透過型スクリーン３では、垂直レンチ１１の観測者側の表面にアンチグレアシート１１−１が設けられているので、透過型スクリーン３の表面への映り込みを抑制することができる。
【００６３】
また、この透過型スクリーン３では、フレネル１３の光源側の表面にアンチグレアシート１３−３が設けられている。映像光源１からミラー２を介して透過型スクリーン３に入射した光がフレネル１３の表面で反射されてミラー２に戻ると、その戻り光がミラー２で再び反射されて透過型スクリーン３に入射することによって、表示画像にゴーストが生じてしまう。これに対し、フレネル１３にこうしたアンチグレアシート１３−３を設けることにより、フレネル１３の表面で光が拡散して反射されるので、このゴーストも抑制することができる。
【００６４】
なお、水平レンチ１２の樹脂基板１２−１のアンチグレア処理を施された観測者側の面１２−１ａ（水平レンチ１２の観測者側の表面）の面粗さは、２μｍから７μｍの範囲内になっている。下記の表１は、この面粗さの決定の根拠を示している。
【表１】
2006113383.tif 000003
【００６５】
この透過型スクリーン３では、水平レンチ１２だけでなく垂直レンチ１１が設けられていることにより、水平レンチ１２の表面の面粗さを８μｍを超えるような大きな値にすると、ブラックストライプ１２−３や１１−５で遮断される光が多くなってしまうので、透過型スクリーン３内での光の透過率（表１の下段の「ゲイン」）が低下してしまう。
【００６６】
逆に、樹脂基板１２−１の観測者側の面１２−１ａの面粗さを１μｍ未満のような小さな値にすると、観測者側から透過型スクリーン３に入射して垂直レンチ１１を透過した外光が水平レンチ１２の観測者側の表面で十分に拡散されなくなるので、「うねり」を抑制できなくなる（表１の中段）。
【００６７】
これに対し、樹脂基板１２−１の観測者側の面１２−１ａの面粗さを２〜７μｍ程度に収めることにより、「うねり」を抑制しつつ、ブラックストライプ１２−３や１１−５での遮断光を少なくして透過型スクリーン３内での光の透過率の低下を抑制することができる。
【００６８】
また、フレネル１３のアンチグレアシート１３−３のアンチグレア層１３−３ｂ（フレネル１３の光源側の表面）の面粗さも、２μｍから７μｍの範囲内になっている。下記の表２は、この面粗さの決定の根拠を示している。
【表２】
2006113383.tif 000004
【００６９】
フレネル１３の表面の面粗さを８μｍを超えるような大きな値にすると、やはり、ブラックストライプ１２−３や１１−５で遮断される光が多くなってしまうので、透過型スクリーン３内での光の透過率（表２の下段の「ゲイン」）が低下してしまう。
【００７０】
逆に、アンチグレア層１３−３ｂの面粗さを１μｍ未満のような小さな値にすると、フレネル１３の表面で反射光が十分に拡散されなくなるので、ミラー２への戻り光を原因とするゴーストを抑制できなくなる。
【００７１】
これに対し、アンチグレア層１３−３ｂの面粗さを２〜７μｍ程度に収めることにより、ゴーストを抑制しつつ、ブラックストライプ１２−３や１１−５での遮断光を少なくして透過型スクリーン３内での光の透過率の低下を抑制することができる。
【００７２】
垂直レンチ１１のアンチグレアシート１１−１の面粗さは、上述の２〜７μｍという値よりも大きくなっている。したがって、垂直レンチ１１での光の拡散濃度は、水平レンチ１２やフレネル１３におけるよりも大きくなっている。このように、垂直レンチ１１，水平レンチ１２，フレネル１３の各々が光の拡散機能を有し、且つ、それぞれの拡散濃度が適切に決定されることにより、モアレの抑制，「うねり」の抑制，光線透過率の低下の抑制，垂直方向の視野角の改善といった様々な課題を、バランスをとって解決することができる。
【００７３】
次に、図３は、この透過型スクリーン３の垂直レンチ１１及びフレネル１３の外形サイズと水平レンチ１２の外形サイズの関係を示す図である。垂直レンチ１１の基板（図２のガラ基板１１−２）とフレネルの基板（図２のガラス基板１３−２）とはサイズが同じであり、したがって垂直レンチ１１とフレネル１３とは外形サイズが同じになっている。
【００７４】
これに対し、水平レンチ１２には基板として樹脂（図２の樹脂基板１２−１）を用いているので、温度や湿度の変化による樹脂の伸びを想定して、この樹脂基板１２−１のサイズを垂直レンチ１１やフレネル１３のガラス基板１１−２や１３−２よりも小さくしている。したがって、水平レンチ１２の外形サイズは、垂直レンチ１１やフレネル１３よりも小さくなっている。
【００７５】
図４〜図６は、この透過型スクリーン３の組み立ての様子を示す図である。図４に示すように、水平レンチ１２とフレネル１３との間には、スペーサー２１が設けられている。これにより、図２に示した水平レンチキュラーレンズシート１２−２の水平レンチキュラーレンズ１２−２ｂのレンズ面とフレネルレンズシート１３−１のフレネルレンズ１３−１ｂのレンズ面とが直接接触しなくなるので、それらのレンズの変形を防止することができる。
【００７６】
そして、このスペーサー２１は、全周に亘って設けられるのではなく、上下左右の各位置に隙間２２をあけて設けられている。これにより、水平レンチ１２とフレネル１３との間の湿気を、この隙間２２を通して外部に抜くことができる。
【００７７】
図５に示すように、水平レンチ１２は、両面テープ２３で垂直レンチ１１に固定して取り付けられている。これにより、水平レンチ１２のサイズを小さくして温度や湿度の影響を排除しつつ、水平レンチ１２の「暴れ」（サイズを小さくした水平レンチ１２が垂直レンチ１１とフレネル１３との間で動いてしまうこと）を防止することができる。
【００７８】
図６に示すように、垂直レンチ１１，水平レンチ１２及びフレネル１３は、周囲を取り巻くようにして貼り付けられたクッションテープ２４によって相互に保持されている。これにより、取り付け具を用いて透過型スクリーン３を背面投射型表示装置内に取り付ける際の垂直レンチ１１や水平レンチ１２やフレネル１３の傷付きを防止することができる。
【００７９】
そして、このクッションテープ２３は、全周に亘って貼り付けられるのではなく、上下左右の各位置に隙間２５をあけて貼り付けられている。これにより、垂直レンチ１１と水平レンチ１２との間の湿気や、水平レンチ１２とフレネル１３との間の湿気を、この隙間２５を通して外部に抜くことができる。
【００８０】
なお、以上の例では  図２に示したように、垂直レンチ１１のガラス基板１１−２の観測者側の面にアンチグレアシート１１−１を貼り合わせている。しかし、別の例として、アンチリフレクションシート（光の干渉効果を利用して反射光を除去するシート）をこのガラス基板１１−２の観測者側の面に貼り合わせるようにしてもよい。
【００８１】
また、以上の例では、 図５に示したように、水平レンチ１２を垂直レンチ１１に固定して取り付けている。しかし、これに限らず、水平レンチ１２をフレネル１３のほうに固定して取り付けるようにしてもよく、その場合にもやはり水平レンチ１２の「暴れ」を防止することができる。
【図面の簡単な説明】
【００８２】
【図１】本発明を適用した背面投射型表示装置の光学系の概要を示す図である。
【図２】図１の透過型スクリーンの断面構造を示す図である。
【図３】図２の垂直レンチ及びフレネルの外形サイズと水平レンチの外形サイズの関係を示す図である。
【図４】透過型スクリーンの組み立ての様子を示す図である。
【図５】透過型スクリーンの組み立ての様子を示す図である。
【図６】透過型スクリーンの組み立ての様子を示す図である。
【符号の説明】
【００８３】
１  映像光源、  ２  ミラー、  ３  透過型スクリーン、  １１  垂直レンチ、  １１−１  アンチグレアシート、  １１−２  ガラス基板、  １１−３  拡散シート、  １１−３ｂ  拡散シートの拡散層、  １１−４  垂直レンチキュラーレンズシート、  １１−５  ブラックストライプ、  １２  水平レンチ、  １２−１  樹脂基板、  １２−１ａ  樹脂基板の観測者側の面（アンチグレア処理を施された面）、  １２−２  水平レンチキュラーレンズシート、  １２−３  ブラックストライプ、  １３  フレネル、  １３−１  フレネルレンズシート、  １３−２  ガラス基板、  １３−３  アンチグレアシート、  ２１  スペーサー、  ２３  両面テープ、  ２４  クッションテープ
【図１】
2006113383.tif 000005
【図２】
2006113383.tif 000006
【図３】
2006113383.tif 000007
【図４】
2006113383.tif 000008
【図５】
2006113383.tif 000009
【図６】
2006113383.tif 000010